(57)【要約】  簡易な構造で既設の建築物の窓等のガラス面に適用することができ、かつ、使用者が光線透過率を自由に調整することができる遮光装置を提供するため、ガラス面Ｇに沿って配設される第１遮光シート１と、この第１遮光シート１に重ねて配設するようにした第２遮光シート２と、この第２遮光シート２を、所定の配設位置Ａと該所定の配設位置Ａから第１遮光シート１に対して任意の距離移動した移動配設位置Ｂとに選択的に配設できるようにしたスライド・保持機構３とを備え、この第２遮光シート２を移動させることにより、重なり合った第１遮光シート１及び第２遮光シート２を透過する光線の透過率が変化するようにする。
2012090319.tif 000002
【特許請求の範囲】
【請求項１】
ガラス面に沿って配設される第１遮光シートと、該第１遮光シートに重ねて配設するようにした第２遮光シートと、該第２遮光シートを、所定の配設位置と該所定の配設位置から第１遮光シートに対して任意の距離移動した移動配設位置とに選択的に配設できるようにしたスライド・保持機構とを備え、前記第２遮光シートを移動させることにより、重なり合った第１遮光シート及び第２遮光シートを透過する光線の透過率が変化するようにしたことを特徴とする遮光装置。
【請求項２】
第１遮光シート及び第２遮光シートが、前記第２遮光シートの移動方向に光線透過率を異ならせたものからなることを特徴とする請求項１記載の遮光装置。
【請求項３】
第１遮光シート及び第２遮光シートが、前記第２遮光シートの移動方向に偏向方向が異なる２種類の偏向シートを配したものからなることを特徴とする請求項１記載の遮光装置。
【請求項４】
スライド・保持機構が、第２遮光シートの一端縁を保持する伸縮機構と、前記一端縁と対向する他端縁を保持する挟持機構とからなることを特徴とする請求項１、２又は３記載の遮光装置。
【請求項５】
遮光装置の最大厚さ部分の厚みが、５ｍｍ以下であることを特徴とする請求項１、２、３又は４記載の遮光装置。
【請求項６】
第１遮光シートと第２遮光シートとの間の空間を閉鎖空間とする線状の通気遮断部材を第１遮光シート１又は第２遮光シート２の縁部に配設したことを特徴とする請求項１、２、３、４又は５記載の遮光装置。
【発明の詳細な説明】
【技術分野】
【０００１】
本発明は、遮光装置に関し、建築物の窓等のガラス面に適用する遮光装置に関するものである。
【背景技術】
【０００２】
建築物の窓等のガラス面からの日射を遮る目的で、従来より、ブラインドやカーテンが用いられている。
また、冷房時の熱効率を高め、省エネルギ化を図るために、建築物の窓等のガラス面に光線透過率を調整した遮光フィルムを貼り付けることも行われている。
さらに、同様の目的で、建築物の窓等のガラス面に沿って、光線透過率を調整する構造部材を配設する方法も提案されている（例えば、特許文献１参照）。
【先行技術文献】
【特許文献】
【０００３】
【特許文献１】特開平９−２３５９５２号公報
【発明の概要】
【発明が解決しようとする課題】
【０００４】
このように、建築物の窓等のガラス面からの日射を遮る目的で、種々の方式の遮光装置が提案され、実用化されているが、簡易な構造で既設の建築物の窓等のガラス面に適用することができ、かつ、使用者が光線透過率を自由に調整することができるものは存在しなかった。【０００５】
本発明は、簡易な構造で既設の建築物の窓等のガラス面に適用することができ、かつ、使用者が光線透過率を自由に調整することができる遮光装置を提供することを目的とする。
【課題を解決するための手段】
【０００６】
上記目的を達成するため、本発明の遮光装置は、ガラス面に沿って配設される第１遮光シートと、該第１遮光シートに重ねて配設するようにした第２遮光シートと、該第２遮光シートを、所定の配設位置と該所定の配設位置から第１遮光シートに対して任意の距離移動した移動配設位置とに選択的に配設できるようにしたスライド・保持機構とを備え、前記第２遮光シートを移動させることにより、重なり合った第１遮光シート及び第２遮光シートを透過する光線の透過率が変化するようにしたことを特徴とする。【０００７】
この場合において、第１遮光シート及び第２遮光シートを、前記第２遮光シートの移動方向に光線透過率を異ならせたものや、前記第２遮光シートの移動方向に偏向方向が異なる２種類の偏向シートを配したものから構成することができる。【０００８】
また、スライド・保持機構を、第２遮光シートの一端縁を保持する伸縮機構と、前記一端縁と対向する他端縁を保持する挟持機構とから構成することができる。【０００９】
また、遮光装置の最大厚さ部分の厚みを、５ｍｍ以下にすることができる。【００１０】
また、第１遮光シートと第２遮光シートとの間の空間を閉鎖空間とする線状の通気遮断部材を第１遮光シート又は第２遮光シートの縁部に配設することができる。
【発明の効果】
【００１１】
本発明の遮光装置によれば、ガラス面に沿って配設される第１遮光シートと、該第１遮光シートに重ねて配設するようにした第２遮光シートとからなり、該第２遮光シートを、所定の配設位置と該所定の配設位置から第１遮光シートに対して任意の距離移動した移動配設位置とに選択的に配設できるようにしたスライド・保持機構とからなる、簡易な構造で既設の建築物の窓等のガラス面に適用することができ、かつ、第２遮光シートを移動させることにより、重なり合った第１遮光シート及び第２遮光シートを透過する光線の透過率が変化するようにすることにより、使用者が光線透過率を自由に調整することができる。
特に、遮光装置の最大厚さ部分の厚みを、５ｍｍ以下にすることにより、引き違い窓に遮光装置を適用することができる。
また、第１遮光シートと第２遮光シートとの間の空間を閉鎖空間とする線状の通気遮断部材を第１遮光シート又は第２遮光シートの縁部に配設することにより、断熱効果や結露の防止効果を期待できる。
【図面の簡単な説明】
【００１２】
【図１】本発明の遮光装置の一実施例を示す説明図である。
【図２】同遮光装置の詳細断面図で、（ａ）は第２遮光シートを所定の配設位置に配置した状態の説明図、（ｂ）は第２遮光シートを移動配設位置に配置した状態の説明図、（ｃ）は上部スライド・保持部材の正面図、（ｄ）は同背面図である。
【図３】上部スライド・保持部材を示し、（ａ）は正面図、（ｂ）は底面図、（ｃ）は（ａ）のＸ−Ｘ断面図である。
【図４】同遮光装置の詳細断面図で、（ａ）は第２遮光シートを所定の配設位置に配置した状態の説明図、（ｂ）は第２遮光シートを移動配設位置に配置した状態の説明図である。
【図５】第１遮光シート及び第２遮光シートの組み合わせの一例を示し、（ａ）は第１遮光シート、（ｂ）は第２遮光シート、（ｃ）は第２遮光シートを所定の配設位置に配置した、第１遮光シートと第２遮光シートとが重なり合った状態の説明図、（ｄ）は第２遮光シートを移動配設位置に配置した、第１遮光シートと第２遮光シートとが重なり合った状態の説明図である。
【図６】第１遮光シート及び第２遮光シートの組み合わせの一例を示し、（ａ）は第１遮光シート、（ｂ）は第２遮光シート、（ｃ）は第２遮光シートを所定の配設位置に配置した、第１遮光シートと第２遮光シートとが重なり合った状態の説明図、（ｄ）は第２遮光シートを移動配設位置に配置した、第１遮光シートと第２遮光シートとが重なり合った状態の説明図である。
【図７】第１遮光シート及び第２遮光シートの組み合わせの一例を示し、（ａ）は第１遮光シート、（ｂ）は第２遮光シート、（ｃ）は第２遮光シートを所定の配設位置に配置した、第１遮光シートと第２遮光シートとが重なり合った状態の説明図、（ｄ）は第２遮光シートを移動配設位置に配置した、第１遮光シートと第２遮光シートとが重なり合った状態の説明図である。
【図８】第１遮光シート及び第２遮光シートの組み合わせの一例を示し、（ａ）は第１遮光シート、（ｂ）は第２遮光シート、（ｃ）は第２遮光シートを所定の配設位置に配置した、第１遮光シートと第２遮光シートとが重なり合った状態の説明図、（ｄ）は第２遮光シートを移動配設位置に配置した、第１遮光シートと第２遮光シートとが重なり合った状態の説明図である。
【発明を実施するための形態】
【００１３】
以下、本発明の遮光装置の実施の形態を、図面に基づいて説明する。
図１に、本発明の遮光装置の一実施例を示す。
この遮光装置は、建築物の引き違い窓Ｗのガラス面Ｇに適用したもので、ガラス面Ｇに沿って配設される第１遮光シート１と、この第１遮光シート１に重ねて配設するようにした第２遮光シート２と、この第２遮光シート２を、所定の配設位置Ａと該所定の配設位置Ａから第１遮光シート１に対して任意の距離移動した移動配設位置Ｂとに選択的に配設できるようにしたスライド・保持機構３とを備え、この第２遮光シート２を移動させることにより、重なり合った第１遮光シート１及び第２遮光シート２を透過する光線の透過率が変化するようにしたものである。
ここで、重ねて配設するようにした第１遮光シート１及び第２遮光シート２は、接触して配設しても、間隔をあけて非接触で配設してもよい。
【００１４】
第１遮光シート１及び第２遮光シート２には、ポリエステル樹脂、ポリオレフィン樹脂、ポリ塩化ビニル樹脂、ポリ塩化ビニリデン樹脂、ポリアミド樹脂、ポリカーボネート樹脂、アクリル樹脂等の合成樹脂製のシート（フィルムのように薄いものからパネルのように板厚を有するものを含む。）を好適に用いることができるが、このほか、織物、編物、不織布等の繊維性の布やこれと合成樹脂製のシートを組み合わせた複合素材を用いることができる。
【００１５】
この場合、第１遮光シート１及び第２遮光シート２の厚みは、特に限定されるものではないが、０．０５〜数ｍｍ程度までの任意の厚みのものを用いることができるが、移動させて使用する第２遮光シート２には、ある程度の剛性のある０．５〜数ｍｍ程度のものを用いることが好ましい。
【００１６】
フィルムには、粘着性や接着性を高めたり、印刷性を付与したり、耐摩耗性を高めるために、コロナ処理、プラズマ処理等の物理的処理、化学的処理、マット加工等の表面処理を施すことができる。
【００１７】
第１遮光シート１を、ガラス面Ｇに沿って配設するために、本実施例においては、第１遮光シート１のガラス面Ｇに接する側の表面の全面又は部分的に、粘着剤や接着剤を施すようにしたり、両面粘着テープや両面接着テープを用い、第１遮光シート１をガラス面Ｇに直接粘着又は接着するようにする。
【００１８】
第２遮光シート２を、所定の配設位置Ａと該所定の配設位置Ａから第１遮光シートに対して任意の距離移動した移動配設位置Ｂとに選択的に配設できるようにするスライド・保持機構３は、本実施例においては、引き違い窓Ｗの上枠Ｆ１（又はその近傍のガラス面Ｇ若しくは第１遮光シート１。以下同じ。）に配設される上部スライド・保持部材３１と、引き違い窓Ｗの下枠Ｆ２（又はその近傍のガラス面Ｇ若しくは第１遮光シート１。以下同じ。）に配設される下部スライド・保持部材３２とで構成するようにしている。
【００１９】
上部スライド・保持部材３１には、特に限定されるものではないが、図２及び図３に示すように、引き違い窓Ｗの上枠Ｆ１に粘着又は接着した固定片３１ａ、該固定片３１ａに一端側を固定したゴム、ばね等の伸縮部材３１ｂ及び該伸縮部材３１ｂの他端側を固定し、固定片３１ａに沿って移動するスライダ３１ｃを介して第２遮光シート２の上辺を引き違い窓Ｗの上枠Ｆ１に保持するもの（伸縮機構）を好適に用いることができる。
ここで、図３に示す上部スライド・保持部材３１には、ばねとして引っ張りばねを用いたが、圧縮ばねを用いて構成することもできる。
このほか、上部スライド・保持部材３１には、図４に示すように、磁石同士又は磁石と磁性体からなる２枚の磁着部材３１ｄ、３１ｅの一方を引き違い窓Ｗの上枠Ｆ１に粘着又は接着し、他方を第２遮光シート２の上辺に粘着又は接着し、２枚の磁着部材３１ｄ、３１ｅを介して第２遮光シート２の上辺を引き違い窓Ｗの上枠Ｆ１に保持するもの等、引き違い窓Ｗの上枠Ｆ１に対する第２遮光シート２の上辺の位置を任意に変位できるようにするものを用いることができる。
【００２０】
下部スライド・保持部材３２は、特に限定されるものではないが、図２に示すように、磁石同士又は磁石と磁性体からなる２枚の磁着部材３２ａ、３２ｂの下辺をテープ等の連結部材３２ｃによりヒンジ接合し、背面を引き違い窓Ｗの下枠Ｆ２に粘着又は接着し、２枚の磁着部材３２ａ、３２ｂ間に第２遮光シート２の下辺を挟持することにより、２枚の磁着部材３２ａ、３２ｂを介して第２遮光シート２の下辺を引き違い窓Ｗの下枠Ｆ２に保持するもの（挟持機構）を好適に用いることができる。
このほか、下部スライド・保持部材３２には、図４に示すように、磁石同士又は磁石と磁性体からなる２枚の磁着部材３２ｄ、３２ｅの一方を引き違い窓Ｗの下枠Ｆ２に粘着又は接着し、他方を第２遮光シート２の下辺に粘着又は接着し、２枚の磁着部材３２ｄ、３２ｅを介して第２遮光シート２の下辺を引き違い窓Ｗの下枠Ｆ２に保持するもの等、引き違い窓Ｗの下枠Ｆ２に対する第２遮光シート２の下辺の位置を任意に変位できるようにするものを用いることができる。
【００２１】
なお、スライド・保持機構３を、本実施例においては、第２遮光シート２の移動方向が上下方向のため、引き違い窓Ｗの上枠Ｆ１及び下枠Ｆ２に配設したが、第２遮光シート２の移動方向を水平方向に設定することもでき、この場合は、スライド・保持機構３を引き違い窓Ｗの側枠Ｆ３、Ｆ４に配設するようにする。
【００２２】
次に、第２遮光シート２を移動させることにより、重なり合った第１遮光シート１及び第２遮光シート２を透過する光線の透過率が変化する具体的な第１遮光シート１及び第２遮光シート２の組み合わせの態様について、図５〜図８を用いて説明する。
図５〜図８において、（ａ）は第１遮光シート１、（ｂ）は第２遮光シート２、（ｃ）は第２遮光シート２を所定の配設位置Ａに配置した、第１遮光シート１と第２遮光シート２とが重なり合った状態の説明図、（ｄ）は第２遮光シートを移動配設位置Ｂに配置した、第１遮光シート１と第２遮光シート２とが重なり合った状態の説明図である。
【００２３】
図５は、第１遮光シート１及び第２遮光シート２にそれぞれ等間隔の横縞形状（第２遮光シート２の移動方向に対して直交する方向の縞形状）の遮光部１１、２１を形成したものである。
遮光部１１、２１は、例えば、第１遮光シート１及び第２遮光シート２の基材の表面に、印刷、蒸着等を施すことにより形成することができる。
そして、遮光部１１、２１は、その光線透過率を適宜に設定することができ、例えば、遮光部１１、２１を形成していない部分の第１遮光シート１及び第２遮光シート２の光線透過率を１００％、遮光部１１、２１の光線透過率を８０％とし、遮光部１１、２１を形成していない部分と遮光部１１、２１の面積割合を５０％、５０％とすると、（ｃ）の第２遮光シート２を所定の配設位置Ａに配置した状態では、重なり合った第１遮光シート１及び第２遮光シート２を透過する光線の透過率（全体の透過率）は、
１×１／２＋（１−０．８）２×１／２＝５２％
となり、（ｄ）の第２遮光シート２を移動配設位置Ｂに配置した状態では、重なり合った第１遮光シート１及び第２遮光シート２を透過する光線の透過率（全体の透過率）は、
１−０．８＝２０％
となる。
ちなみに、重なり合った第１遮光シート１及び第２遮光シート２を透過する光線の透過率（全体の透過率）は、遮光部１１、２１の光線透過率を５０％とすると、それぞれ、６２．５％、５０％となり、遮光部１１、２１の光線透過率を１００％とすると、それぞれ、５０％、０％となる。
【００２４】
図６は、第１遮光シート１及び第２遮光シート２にそれぞれ等間隔の鍵状の縞形状（第２遮光シート２の移動方向に対して直交する方向の鍵状の縞形状）の遮光部１１、２１を形成したものであり、図７は、第１遮光シート１及び第２遮光シート２にそれぞれ水玉形状（第２遮光シート２の移動方向に対して直交する方向の鍵状の縞形状）の透光部（この場合、水玉形状の外側の部分が遮光部１１、２１となる。）を形成したものである。
【００２５】
このように、遮光部１１、２１の形状は任意の形状とすることができ、また、遮光部１１、２１の光線透過率や遮光部１１、２１を形成していない部分と遮光部１１、２１の面積割合も任意に設定することができる。
また、第２遮光シートを移動配設位置Ｂは、第２遮光シートの移動量を調節することにより任意に設定することができ、重なり合った第１遮光シート１及び第２遮光シート２を透過する光線の透過率（全体の透過率）を広範囲に調整することができる。
【００２６】
図８は、第１遮光シート１及び第２遮光シート２に第２遮光シートの移動方向に偏向方向が異なる２種類の偏向シート１２ａ、２２ａと偏向シート２１ｂ、２２ｂをそれぞれ等間隔に配したものを用いたものである。
この実施例のものは、（ｃ）の第２遮光シート２を所定の配設位置Ａに配置した状態では、第１遮光シート１及び第２遮光シート２の偏向方向が同じ偏向シート１２ａ、２２ａ、偏向シート２１ｂ、２２ｂが重なり合うため、重なり合った第１遮光シート１及び第２遮光シート２を光線が透過するのに対して、（ｄ）の第２遮光シート２を移動配設位置Ｂに配置した状態では、第１遮光シート１及び第２遮光シート２の偏向方向が異なる偏向シート１２ａと偏向シート２２ｂ、偏向シート１２ｂと偏向シート２２ａが重なり合うため、重なり合った第１遮光シート１及び第２遮光シート２を光線が透過せず、遮光することができる。
【００２７】
この遮光装置によれば、建築物の引き違い窓Ｗのガラス面Ｇに沿って配設される第１遮光シート１と、この第１遮光シート１に重ねて配設するようにした第２遮光シート２と、この第２遮光シート２を、所定の配設位置Ａと該所定の配設位置Ａから第１遮光シート１に対して任意の距離移動した移動配設位置Ｂとに選択的に配設できるようにしたスライド・保持機構３とからなる、簡易な構造で建築物の引き違い窓Ｗのガラス面Ｇに適用することができ、かつ、第２遮光シート２を移動させることにより、重なり合った第１遮光シート１及び第２遮光シート２を透過する光線の透過率が変化するようにすることにより、使用者が光線透過率を自由に調整することができる。
【００２８】
ここで、遮光装置の最大厚さ部分（本実施例の場合、スライド・保持機構３と第２遮光シート２の合計）の厚みｔを、５ｍｍ以下にすることにより、遮光装置を引き違い窓Ｗの側枠Ｆ３、Ｆ４内に収めることができ、汎用の引き違い窓Ｗにこの遮光装置を適用することができる。
なお、スライド・保持機構３を、ガラス面Ｇ又は第１遮光シート１に取り付けるようにすることにより、突出する寸法を抑えることができる。
【００２９】
さらに、この遮光装置によれば、以下の付加的な作用効果を期待することができる。
（１）動力源を必要としないことから、電気工事等の大がかりな工事が不要で、既設の建築物の窓等のガラス面に適用することができる。
（２）操作が簡単で、使用者が光線透過率を自由にかつ、スピーディーに調整することができる。
（３）ガラス面Ｇに沿って配設される第１遮光シート１と、この第１遮光シート１に重ねて配設するようにした第２遮光シート２とによって、断熱効果や結露の防止効果を期待できる。
また、図１に示すように、第１遮光シート１と第２遮光シート２との間の空間を実質的に閉鎖空間とする適宜のシール部材や起毛状のモール部材からなる線状の通気遮断部材４を第１遮光シート１（又は第２遮光シート２）の縁部に配設することにより、上記効果をより発揮しやすくすることができる。
（４）ガラス面Ｇに沿って直接粘着又は接着することによって配設される第１遮光シート１によって、防犯性を高めるとともに、ガラスが割れたときの飛散防止効果が得られる。
【００３０】
以上、本発明の遮光装置について説明したが、本発明は上記実施の形態に記載した構成に限定されるものではなく、その趣旨を逸脱しない範囲において適宜その構成を変更することができるものである。
【産業上の利用可能性】
【００３１】
本発明の遮光装置は、簡易な構造で既設の建築物の窓等のガラス面に適用することができ、かつ、使用者が光線透過率を自由に調整することができるという特性を有していることから、建築物の窓等のガラス面に適用する遮光装置に広く用いることができる。
【符号の説明】
【００３２】
Ｗ    引き違い窓
Ｇ    ガラス面
１    第１遮光シート
１１  遮光部
１２ａ  偏向シート
１２ｂ  偏向シート
２    第２遮光シート
２１  遮光部
２２ａ  偏向シート
２２ｂ  偏向シート
３    スライド・保持機構
３１  上部スライド・保持部材
３２  下部スライド・保持部材
４    通気遮断部材
【図１】
2012090319.tif 000003
【図２】
2012090319.tif 000004
【図３】
2012090319.tif 000005
【図４】
2012090319.tif 000006
【図５】
2012090319.tif 000007
【図６】
2012090319.tif 000008
【図７】
2012090319.tif 000009
【図８】
2012090319.tif 000010
【手続補正書】
【提出日】平成24年10月17日(2012.10.17)
【手続補正１】
【補正対象書類名】特許請求の範囲
【補正対象項目名】全文
【補正方法】変更
【補正の内容】
【特許請求の範囲】
【請求項１】
ガラス面に沿って配設される第１遮光シートと、該第１遮光シートに重ねて配設するようにした第２遮光シートと、該第２遮光シートを、所定の配設位置と該所定の配設位置から第１遮光シートに対して任意の距離移動した移動配設位置とに選択的に配設できるようにしたスライド・保持機構とを備え、前記第２遮光シートを移動させることにより、重なり合った第１遮光シート及び第２遮光シートを透過する光線の透過率が変化するようにした遮光装置であって、スライド・保持機構が、第２遮光シートの一端縁を保持する伸縮機構と、前記一端縁と対向する他端縁を保持する挟持機構とからなることを特徴とする遮光装置。
【請求項２】
第１遮光シート及び第２遮光シートが、前記第２遮光シートの移動方向に光線透過率を異ならせたものからなることを特徴とする請求項１記載の遮光装置。
【請求項３】
第１遮光シート及び第２遮光シートが、前記第２遮光シートの移動方向に偏向方向が異なる２種類の偏向シートを配したものからなることを特徴とする請求項１記載の遮光装置。
【請求項４】
遮光装置の最大厚さ部分の厚みが、５ｍｍ以下であることを特徴とする請求項１、２又は３記載の遮光装置。
【請求項５】
第１遮光シートと第２遮光シートとの間の空間を閉鎖空間とする線状の通気遮断部材を第１遮光シート１又は第２遮光シート２の縁部に配設したことを特徴とする請求項１、２、３又は４記載の遮光装置。
【手続補正書】
【提出日】平成24年12月7日(2012.12.7)
【手続補正１】
【補正対象書類名】明細書
【補正対象項目名】全文
【補正方法】変更
【補正の内容】
【発明の詳細な説明】
【技術分野】
【０００１】
本発明は、遮光装置に関し、建築物の窓等のガラス面に適用する遮光装置に関するものである。
【背景技術】
【０００２】
建築物の窓等のガラス面からの日射を遮る目的で、従来より、ブラインドやカーテンが用いられている。
また、冷房時の熱効率を高め、省エネルギ化を図るために、建築物の窓等のガラス面に光線透過率を調整した遮光フィルムを貼り付けることも行われている。
さらに、同様の目的で、建築物の窓等のガラス面に沿って、光線透過率を調整する構造部材を配設する方法も提案されている（例えば、特許文献１参照）。
【先行技術文献】
【特許文献】
【０００３】
【特許文献１】特開平９−２３５９５２号公報
【発明の概要】
【発明が解決しようとする課題】
【０００４】
このように、建築物の窓等のガラス面からの日射を遮る目的で、種々の方式の遮光装置が提案され、実用化されているが、簡易な構造で既設の建築物の窓等のガラス面に適用することができ、かつ、使用者が光線透過率を自由に調整することができるものは存在しなかった。
【０００５】
本発明は、簡易な構造で既設の建築物の窓等のガラス面に適用することができ、かつ、使用者が光線透過率を自由に調整することができる遮光装置を提供することを目的とする。
【課題を解決するための手段】
【０００６】
上記目的を達成するため、本発明の遮光装置は、ガラス面に沿って配設される第１遮光シートと、該第１遮光シートに重ねて配設するようにした第２遮光シートと、該第２遮光シートを、所定の配設位置と該所定の配設位置から第１遮光シートに対して任意の距離移動した移動配設位置とに選択的に配設できるようにしたスライド・保持機構とを備え、前記第２遮光シートを移動させることにより、重なり合った第１遮光シート及び第２遮光シートを透過する光線の透過率が変化するようにしたことを特徴とする。
【０００７】
この場合において、第１遮光シート及び第２遮光シートを、前記第２遮光シートの移動方向に光線透過率を異ならせたものや、前記第２遮光シートの移動方向に偏向方向が異なる２種類の偏向シートを配したものから構成することができる。
【０００８】
また、スライド・保持機構を、第２遮光シートの一端縁を保持する伸縮機構と、前記一端縁と対向する他端縁を保持する挟持機構とから構成することができる。
【０００９】
また、遮光装置の最大厚さ部分の厚みを、５ｍｍ以下にすることができる。
【００１０】
また、第１遮光シートと第２遮光シートとの間の空間を閉鎖空間とする直線状の通気遮断部材を第１遮光シート又は第２遮光シートの縁部に配設することができる。
【発明の効果】
【００１１】
本発明の遮光装置によれば、ガラス面に沿って配設される第１遮光シートと、該第１遮光シートに重ねて配設するようにした第２遮光シートとからなり、該第２遮光シートを、所定の配設位置と該所定の配設位置から第１遮光シートに対して任意の距離移動した移動配設位置とに選択的に配設できるようにしたスライド・保持機構とからなる、簡易な構造で既設の建築物の窓等のガラス面に適用することができ、かつ、第２遮光シートを移動させることにより、重なり合った第１遮光シート及び第２遮光シートを透過する光線の透過率が変化するようにすることにより、使用者が光線透過率を自由に調整することができる。
特に、遮光装置の最大厚さ部分の厚みを、５ｍｍ以下にすることにより、引き違い窓に遮光装置を適用することができる。
また、第１遮光シートと第２遮光シートとの間の空間を閉鎖空間とする直線状の通気遮断部材を第１遮光シート又は第２遮光シートの縁部に配設することにより、断熱効果や結露の防止効果を期待できる。
【図面の簡単な説明】
【００１２】
【図１】本発明の遮光装置の一実施例を示す説明図である。
【図２】同遮光装置の詳細断面図で、（ａ）は第２遮光シートを所定の配設位置に配置した状態の説明図、（ｂ）は第２遮光シートを移動配設位置に配置した状態の説明図、（ｃ）は上部スライド・保持部材の正面図、（ｄ）は同背面図である。
【図３】上部スライド・保持部材を示し、（ａ）は正面図、（ｂ）は底面図、（ｃ）は（ａ）のＸ−Ｘ断面図である。
【図４】同遮光装置の詳細断面図で、（ａ）は第２遮光シートを所定の配設位置に配置した状態の説明図、（ｂ）は第２遮光シートを移動配設位置に配置した状態の説明図である。
【図５】第１遮光シート及び第２遮光シートの組み合わせの一例を示し、（ａ）は第１遮光シート、（ｂ）は第２遮光シート、（ｃ）は第２遮光シートを所定の配設位置に配置した、第１遮光シートと第２遮光シートとが重なり合った状態の説明図、（ｄ）は第２遮光シートを移動配設位置に配置した、第１遮光シートと第２遮光シートとが重なり合った状態の説明図である。
【図６】第１遮光シート及び第２遮光シートの組み合わせの一例を示し、（ａ）は第１遮光シート、（ｂ）は第２遮光シート、（ｃ）は第２遮光シートを所定の配設位置に配置した、第１遮光シートと第２遮光シートとが重なり合った状態の説明図、（ｄ）は第２遮光シートを移動配設位置に配置した、第１遮光シートと第２遮光シートとが重なり合った状態の説明図である。
【図７】第１遮光シート及び第２遮光シートの組み合わせの一例を示し、（ａ）は第１遮光シート、（ｂ）は第２遮光シート、（ｃ）は第２遮光シートを所定の配設位置に配置した、第１遮光シートと第２遮光シートとが重なり合った状態の説明図、（ｄ）は第２遮光シートを移動配設位置に配置した、第１遮光シートと第２遮光シートとが重なり合った状態の説明図である。
【図８】第１遮光シート及び第２遮光シートの組み合わせの一例を示し、（ａ）は第１遮光シート、（ｂ）は第２遮光シート、（ｃ）は第２遮光シートを所定の配設位置に配置した、第１遮光シートと第２遮光シートとが重なり合った状態の説明図、（ｄ）は第２遮光シートを移動配設位置に配置した、第１遮光シートと第２遮光シートとが重なり合った状態の説明図である。
【発明を実施するための形態】
【００１３】
以下、本発明の遮光装置の実施の形態を、図面に基づいて説明する。
図１に、本発明の遮光装置の一実施例を示す。
この遮光装置は、建築物の引き違い窓Ｗのガラス面Ｇに適用したもので、ガラス面Ｇに沿って配設される第１遮光シート１と、この第１遮光シート１に重ねて配設するようにした第２遮光シート２と、この第２遮光シート２を、所定の配設位置Ａと該所定の配設位置Ａから第１遮光シート１に対して任意の距離移動した移動配設位置Ｂとに選択的に配設できるようにしたスライド・保持機構３とを備え、この第２遮光シート２を移動させることにより、重なり合った第１遮光シート１及び第２遮光シート２を透過する光線の透過率が変化するようにしたものである。
ここで、重ねて配設するようにした第１遮光シート１及び第２遮光シート２は、接触して配設しても、間隔をあけて非接触で配設してもよい。
【００１４】
第１遮光シート１及び第２遮光シート２には、ポリエステル樹脂、ポリオレフィン樹脂、ポリ塩化ビニル樹脂、ポリ塩化ビニリデン樹脂、ポリアミド樹脂、ポリカーボネート樹脂、アクリル樹脂等の合成樹脂製のシート（フィルムのように薄いものからパネルのように板厚を有するものを含む。）を好適に用いることができるが、このほか、織物、編物、不織布等の繊維性の布やこれと合成樹脂製のシートを組み合わせた複合素材を用いることができる。
【００１５】
この場合、第１遮光シート１及び第２遮光シート２の厚みは、特に限定されるものではないが、０．０５〜数ｍｍ程度までの任意の厚みのものを用いることができるが、移動させて使用する第２遮光シート２には、ある程度の剛性のある０．５〜数ｍｍ程度のものを用いることが好ましい。
【００１６】
フィルムには、粘着性や接着性を高めたり、印刷性を付与したり、耐摩耗性を高めるために、コロナ処理、プラズマ処理等の物理的処理、化学的処理、マット加工等の表面処理を施すことができる。
【００１７】
第１遮光シート１を、ガラス面Ｇに沿って配設するために、本実施例においては、第１遮光シート１のガラス面Ｇに接する側の表面の全面又は部分的に、粘着剤や接着剤を施すようにしたり、両面粘着テープや両面接着テープを用い、第１遮光シート１をガラス面Ｇに直接粘着又は接着するようにする。
【００１８】
第２遮光シート２を、所定の配設位置Ａと該所定の配設位置Ａから第１遮光シートに対して任意の距離移動した移動配設位置Ｂとに選択的に配設できるようにするスライド・保持機構３は、本実施例においては、引き違い窓Ｗの上枠Ｆ１（又はその近傍のガラス面Ｇ若しくは第１遮光シート１。以下同じ。）に配設される上部スライド・保持部材３１と、引き違い窓Ｗの下枠Ｆ２（又はその近傍のガラス面Ｇ若しくは第１遮光シート１。以下同じ。）に配設される下部スライド・保持部材３２とで構成するようにしている。
【００１９】
上部スライド・保持部材３１には、特に限定されるものではないが、図２及び図３に示すように、引き違い窓Ｗの上枠Ｆ１に粘着又は接着した固定片３１ａ、該固定片３１ａに一端側を固定したゴム、ばね等の伸縮部材３１ｂ及び該伸縮部材３１ｂの他端側を固定し、固定片３１ａに沿って移動するスライダ３１ｃを介して第２遮光シート２の上辺を引き違い窓Ｗの上枠Ｆ１に保持するもの（伸縮機構）を好適に用いることができる。
ここで、図３に示す上部スライド・保持部材３１には、ばねとして引っ張りばねを用いたが、圧縮ばねを用いて構成することもできる。
このほか、上部スライド・保持部材３１には、図４に示すように、磁石同士又は磁石と磁性体からなる２枚の磁着部材３１ｄ、３１ｅの一方を引き違い窓Ｗの上枠Ｆ１に粘着又は接着し、他方を第２遮光シート２の上辺に粘着又は接着し、２枚の磁着部材３１ｄ、３１ｅを介して第２遮光シート２の上辺を引き違い窓Ｗの上枠Ｆ１に保持するもの等、引き違い窓Ｗの上枠Ｆ１に対する第２遮光シート２の上辺の位置を任意に変位できるようにするものを用いることができる。
【００２０】
下部スライド・保持部材３２は、特に限定されるものではないが、図２に示すように、磁石同士又は磁石と磁性体からなる２枚の磁着部材３２ａ、３２ｂの下辺をテープ等の連結部材３２ｃによりヒンジ接合し、背面を引き違い窓Ｗの下枠Ｆ２に粘着又は接着し、２枚の磁着部材３２ａ、３２ｂ間に第２遮光シート２の下辺を挟持することにより、２枚の磁着部材３２ａ、３２ｂを介して第２遮光シート２の下辺を引き違い窓Ｗの下枠Ｆ２に保持するもの（挟持機構）を好適に用いることができる。
このほか、下部スライド・保持部材３２には、図４に示すように、磁石同士又は磁石と磁性体からなる２枚の磁着部材３２ｄ、３２ｅの一方を引き違い窓Ｗの下枠Ｆ２に粘着又は接着し、他方を第２遮光シート２の下辺に粘着又は接着し、２枚の磁着部材３２ｄ、３２ｅを介して第２遮光シート２の下辺を引き違い窓Ｗの下枠Ｆ２に保持するもの等、引き違い窓Ｗの下枠Ｆ２に対する第２遮光シート２の下辺の位置を任意に変位できるようにするものを用いることができる。
【００２１】
なお、スライド・保持機構３を、本実施例においては、第２遮光シート２の移動方向が上下方向のため、引き違い窓Ｗの上枠Ｆ１及び下枠Ｆ２に配設したが、第２遮光シート２の移動方向を水平方向に設定することもでき、この場合は、スライド・保持機構３を引き違い窓Ｗの側枠Ｆ３、Ｆ４に配設するようにする。
【００２２】
次に、第２遮光シート２を移動させることにより、重なり合った第１遮光シート１及び第２遮光シート２を透過する光線の透過率が変化する具体的な第１遮光シート１及び第２遮光シート２の組み合わせの態様について、図５〜図８を用いて説明する。
図５〜図８において、（ａ）は第１遮光シート１、（ｂ）は第２遮光シート２、（ｃ）は第２遮光シート２を所定の配設位置Ａに配置した、第１遮光シート１と第２遮光シート２とが重なり合った状態の説明図、（ｄ）は第２遮光シートを移動配設位置Ｂに配置した、第１遮光シート１と第２遮光シート２とが重なり合った状態の説明図である。
【００２３】
図５は、第１遮光シート１及び第２遮光シート２にそれぞれ等間隔の横縞形状（第２遮光シート２の移動方向に対して直交する方向の縞形状）の遮光部１１、２１を形成したものである。
遮光部１１、２１は、例えば、第１遮光シート１及び第２遮光シート２の基材の表面に、印刷、蒸着等を施すことにより形成することができる。
そして、遮光部１１、２１は、その光線透過率を適宜に設定することができ、例えば、遮光部１１、２１を形成していない部分の第１遮光シート１及び第２遮光シート２の光線透過率を１００％、遮光部１１、２１の光線透過率を８０％とし、遮光部１１、２１を形成していない部分と遮光部１１、２１の面積割合を５０％、５０％とすると、（ｃ）の第２遮光シート２を所定の配設位置Ａに配置した状態では、重なり合った第１遮光シート１及び第２遮光シート２を透過する光線の透過率（全体の透過率）は、
１×１／２＋（１−０．８）２×１／２＝５２％
となり、（ｄ）の第２遮光シート２を移動配設位置Ｂに配置した状態では、重なり合った第１遮光シート１及び第２遮光シート２を透過する光線の透過率（全体の透過率）は、
１−０．８＝２０％
となる。
ちなみに、重なり合った第１遮光シート１及び第２遮光シート２を透過する光線の透過率（全体の透過率）は、遮光部１１、２１の光線透過率を５０％とすると、それぞれ、６２．５％、５０％となり、遮光部１１、２１の光線透過率を１００％とすると、それぞれ、５０％、０％となる。
【００２４】
図６は、第１遮光シート１及び第２遮光シート２にそれぞれ等間隔の鍵状の縞形状（第２遮光シート２の移動方向に対して直交する方向の鍵状の縞形状）の遮光部１１、２１を形成したものであり、図７は、第１遮光シート１及び第２遮光シート２にそれぞれ水玉形状（第２遮光シート２の移動方向に対して直交する方向の鍵状の縞形状）の透光部（この場合、水玉形状の外側の部分が遮光部１１、２１となる。）を形成したものである。
【００２５】
このように、遮光部１１、２１の形状は任意の形状とすることができ、また、遮光部１１、２１の光線透過率や遮光部１１、２１を形成していない部分と遮光部１１、２１の面積割合も任意に設定することができる。
また、第２遮光シートを移動配設位置Ｂは、第２遮光シートの移動量を調節することにより任意に設定することができ、重なり合った第１遮光シート１及び第２遮光シート２を透過する光線の透過率（全体の透過率）を広範囲に調整することができる。
【００２６】
図８は、第１遮光シート１及び第２遮光シート２に第２遮光シートの移動方向に偏向方向が異なる２種類の偏向シート１２ａ、２２ａと偏向シート２１ｂ、２２ｂをそれぞれ等間隔に配したものを用いたものである。
この実施例のものは、（ｃ）の第２遮光シート２を所定の配設位置Ａに配置した状態では、第１遮光シート１及び第２遮光シート２の偏向方向が同じ偏向シート１２ａ、２２ａ、偏向シート２１ｂ、２２ｂが重なり合うため、重なり合った第１遮光シート１及び第２遮光シート２を光線が透過するのに対して、（ｄ）の第２遮光シート２を移動配設位置Ｂに配置した状態では、第１遮光シート１及び第２遮光シート２の偏向方向が異なる偏向シート１２ａと偏向シート２２ｂ、偏向シート１２ｂと偏向シート２２ａが重なり合うため、重なり合った第１遮光シート１及び第２遮光シート２を光線が透過せず、遮光することができる。
【００２７】
この遮光装置によれば、建築物の引き違い窓Ｗのガラス面Ｇに沿って配設される第１遮光シート１と、この第１遮光シート１に重ねて配設するようにした第２遮光シート２と、この第２遮光シート２を、所定の配設位置Ａと該所定の配設位置Ａから第１遮光シート１に対して任意の距離移動した移動配設位置Ｂとに選択的に配設できるようにしたスライド・保持機構３とからなる、簡易な構造で建築物の引き違い窓Ｗのガラス面Ｇに適用することができ、かつ、第２遮光シート２を移動させることにより、重なり合った第１遮光シート１及び第２遮光シート２を透過する光線の透過率が変化するようにすることにより、使用者が光線透過率を自由に調整することができる。
【００２８】
ここで、遮光装置の最大厚さ部分（本実施例の場合、スライド・保持機構３と第２遮光シート２の合計）の厚みｔを、５ｍｍ以下にすることにより、遮光装置を引き違い窓Ｗの側枠Ｆ３、Ｆ４内に収めることができ、汎用の引き違い窓Ｗにこの遮光装置を適用することができる。
なお、スライド・保持機構３を、ガラス面Ｇ又は第１遮光シート１に取り付けるようにすることにより、突出する寸法を抑えることができる。
【００２９】
さらに、この遮光装置によれば、以下の付加的な作用効果を期待することができる。
（１）動力源を必要としないことから、電気工事等の大がかりな工事が不要で、既設の建築物の窓等のガラス面に適用することができる。
（２）操作が簡単で、使用者が光線透過率を自由にかつ、スピーディーに調整することができる。
（３）ガラス面Ｇに沿って配設される第１遮光シート１と、この第１遮光シート１に重ねて配設するようにした第２遮光シート２とによって、断熱効果や結露の防止効果を期待できる。
また、図１に示すように、第１遮光シート１と第２遮光シート２との間の空間を実質的に閉鎖空間とする適宜のシール部材や起毛状のモール部材からなる直線状の通気遮断部材４を第１遮光シート１（又は第２遮光シート２）の縁部に配設することにより、上記効果をより発揮しやすくすることができる。
（４）ガラス面Ｇに沿って直接粘着又は接着することによって配設される第１遮光シート１によって、防犯性を高めるとともに、ガラスが割れたときの飛散防止効果が得られる。
【００３０】
以上、本発明の遮光装置について説明したが、本発明は上記実施の形態に記載した構成に限定されるものではなく、その趣旨を逸脱しない範囲において適宜その構成を変更することができるものである。
【産業上の利用可能性】
【００３１】
本発明の遮光装置は、簡易な構造で既設の建築物の窓等のガラス面に適用することができ、かつ、使用者が光線透過率を自由に調整することができるという特性を有していることから、建築物の窓等のガラス面に適用する遮光装置に広く用いることができる。
【符号の説明】
【００３２】
Ｗ    引き違い窓
Ｇ    ガラス面
１    第１遮光シート
１１  遮光部
１２ａ  偏向シート
１２ｂ  偏向シート
２    第２遮光シート
２１  遮光部
２２ａ  偏向シート
２２ｂ  偏向シート
３    スライド・保持機構
３１  上部スライド・保持部材
３２  下部スライド・保持部材
４    通気遮断部材
【手続補正２】
【補正対象書類名】特許請求の範囲
【補正対象項目名】全文
【補正方法】変更
【補正の内容】
【特許請求の範囲】
【請求項１】
ガラス面に沿って配設される第１遮光シートと、該第１遮光シートに重ねて配設するようにした第２遮光シートと、該第２遮光シートを、所定の配設位置と該所定の配設位置から第１遮光シートに対して任意の距離移動した移動配設位置とに選択的に配設できるようにしたスライド・保持機構とを備え、前記第２遮光シートを移動させることにより、重なり合った第１遮光シート及び第２遮光シートを透過する光線の透過率が変化するようにした遮光装置であって、スライド・保持機構が、第２遮光シートの一端縁を保持する伸縮機構と、前記一端縁と対向する他端縁を保持する挟持機構とからなることを特徴とする遮光装置。
【請求項２】
第１遮光シート及び第２遮光シートが、前記第２遮光シートの移動方向に光線透過率を異ならせたものからなることを特徴とする請求項１記載の遮光装置。
【請求項３】
第１遮光シート及び第２遮光シートが、前記第２遮光シートの移動方向に偏向方向が異なる２種類の偏向シートを配したものからなることを特徴とする請求項１記載の遮光装置。
【請求項４】
遮光装置の最大厚さ部分の厚みが、５ｍｍ以下であることを特徴とする請求項１、２又は３記載の遮光装置。
【請求項５】
第１遮光シートと第２遮光シートとの間の空間を閉鎖空間とする直線状の通気遮断部材を第１遮光シート１又は第２遮光シート２の縁部に配設したことを特徴とする請求項１、２、３又は４記載の遮光装置。
【手続補正３】
【補正対象書類名】図面
【補正対象項目名】図１
【補正方法】変更
【補正の内容】
【図１】
2012090319.tif 000011
【手続補正４】
【補正対象書類名】図面
【補正対象項目名】図２
【補正方法】変更
【補正の内容】
【図２】
2012090319.tif 000012
【手続補正５】
【補正対象書類名】図面
【補正対象項目名】図４
【補正方法】変更
【補正の内容】
【図４】
2012090319.tif 000013
【国際調査報告】
2012090319.tif 000014
2012090319.tif 000015